(57)【特許請求の範囲】
【請求項１】
アノードおよびカソードを有する発電可能な燃料電池と、
アノード活物質を含むアノード流体をアノード流体原料から生成して燃料電池のアノードにアノード流体配管を介して供給する改質器と、
カソード活物質を含むカソード流体を前記燃料電池の前記カソードに供給するカソード流体配管と、
メンテナンス時に点検、補修および交換のうちの少なくとも一つが実行されるメンテナンス部品と、
側方に開放する側面開口と前記側面開口を開閉する蓋部材とを備え、且つ、前記燃料電池、前記アノード流体配管、前記改質器、前記カソード流体配管、前記メンテナンス部品を収容するハウジングとを具備しており、
前記メンテナンス部品は、前記蓋部材を開放して前記ハウジングの前記側面開口を開放させるとき、前記側面開口を介して外方に露出すると共に、前記ハウジングに対して外方に取り出し可能に設けられており、
前記ハウジングは、前記メンテナンス部品を保持する保持部をもち前記ハウジングの外方と内方との間において移動可能な可動部材と、前記可動部材が移動するとき前記可動部材を前記ハウジングの外方および内方に案内する案内部とを備えており、
前記メンテナンス部品は、前記改質器で使用される改質用の水を生成する水精製器、前記水精製器に保持され水精製能力をもつ水精製材料、アノード流体原料を脱硫する脱硫器、および、前記脱硫器に保持され脱硫能力をもつ脱硫材料のうちの少なくとも一つであり、
前記ハウジング内に制御装置のボディが固定されており、前記ハウジングは側面板をもち、前記側面板は前記ハウジング内の前記制御装置のボディで補強されている燃料電池システム。
【請求項２】
アノードおよびカソードを有する発電可能な燃料電池と、
アノード活物質を含むアノード流体をアノード流体原料から生成して燃料電池のアノードにアノード流体配管を介して供給する改質器と、
カソード活物質を含むカソード流体を前記燃料電池の前記カソードに供給するカソード流体配管と、
メンテナンス時に点検、補修および交換のうちの少なくとも一つが実行されるメンテナンス部品と、
側方に開放する側面開口と前記側面開口を開閉する蓋部材とを備え、且つ、前記燃料電池、前記アノード流体配管、前記改質器、前記カソード流体配管、前記メンテナンス部品を収容するハウジングとを具備しており、
前記メンテナンス部品は、前記蓋部材を開放して前記ハウジングの前記側面開口を開放させるとき、前記側面開口を介して外方に露出すると共に、前記ハウジングに対して外方に取り出し可能に設けられており、
前記ハウジングは、前記メンテナンス部品を保持する保持部をもち前記ハウジングの外方と内方との間において移動可能な可動部材と、前記可動部材が移動するとき前記可動部材を前記ハウジングの外方および内方に案内する案内部とを備えており、
前記メンテナンス部品は、前記改質器で使用される改質用の水を生成する水精製器、前記水精製器に保持され水精製能力をもつ水精製材料、アノード流体原料を脱硫する脱硫器、および、前記脱硫器に保持され脱硫能力をもつ脱硫材料のうちの少なくとも一つであり、
前記ハウジング内に制御装置のボディが固定されており、前記スタックはスタック取付部材をもち、前記スタックのうちの少なくとも一部は、前記スタック取付部材を介して、前記ハウジング内の前記制御装置の前記ボディに固定されている燃料電池システム。
【請求項３】
アノードおよびカソードを有する発電可能な燃料電池と、
アノード活物質を含むアノード流体をアノード流体原料から生成して燃料電池のアノードにアノード流体配管を介して供給する改質器と、
カソード活物質を含むカソード流体を前記燃料電池の前記カソードに供給するカソード流体配管と、
メンテナンス時に点検、補修および交換のうちの少なくとも一つが実行されるメンテナンス部品と、
側方に開放する側面開口と前記側面開口を開閉する蓋部材とを備え、且つ、前記燃料電池、前記アノード流体配管、前記改質器、前記カソード流体配管、前記メンテナンス部品を収容するハウジングとを具備しており、
前記メンテナンス部品は、前記蓋部材を開放して前記ハウジングの前記側面開口を開放させるとき、前記側面開口を介して外方に露出すると共に、前記ハウジングに対して外方に取り出し可能に設けられており、
前記ハウジングは、前記メンテナンス部品を保持する保持部をもち前記ハウジングの外方と内方との間において移動可能な可動部材と、前記可動部材が移動するとき前記可動部材を前記ハウジングの外方および内方に案内する案内部とを備えており、
前記メンテナンス部品は、前記改質器で使用される改質用の水を生成する水精製器、前記水精製器に保持され水精製能力をもつ水精製材料、アノード流体原料を脱硫する脱硫器、および、前記脱硫器に保持され脱硫能力をもつ脱硫材料のうちの少なくとも一つであり、
前記ハウジングは、前記ハウジングの補強のために前記ハウジングの高さ方向において前記ハウジングの側面を横断して前記ハウジングに橋架状態に固定された橋架補強部材をもち、
前記燃料電池システムの発電に関連する配管は、前記橋架補強部材に沿う方向に配設されている燃料電池システム。
【請求項４】
請求項３において、前記橋架補強部材は、前記側面開口において横断方向に沿って延設された第１延設部と、横断方向において前記第１延設部に対してずらして前記側面開口において横断方向に沿って延設され且つ前記第１延設部の高さと異なる高さをもつ第２延設部と、前記ハウジングの高さ方向に沿って延設され前記第１延設部と前記第２延設部とを連結する連結部とを備えている燃料電池システム。
【請求項５】
請求項１または請求項２のうちの一項において、前記ハウジングは、前記ハウジングの補強のために前記ハウジングの高さ方向において前記ハウジングの側面を横断して前記ハウジングに橋架状態に固定された橋架補強部材をもち、
前記燃料電池システムの発電に関連する配管は、前記橋架補強部材に沿う方向に配設されている燃料電池システム。
【請求項６】
請求項５において、前記橋架補強部材は、前記側面開口において横断方向に沿って延設された第１延設部と、横断方向において前記第１延設部に対してずらして前記側面開口において横断方向に沿って延設され且つ前記第１延設部の高さと異なる高さをもつ第２延設部と、前記ハウジングの高さ方向に沿って延設され前記第１延設部と前記第２延設部とを連結する連結部とを備えていることを特徴とする燃料電池システム。
【発明の詳細な説明】
【技術分野】
【０００１】
本発明はメンテナンス部品を搭載する燃料電池システムに関する。
【背景技術】
【０００２】
従来、燃料電池システムとして、側方に開放する側面開口と側面開口を開閉する蓋部材とを備えるハウジングを備えるものが知られている（特許文献１）。ハウジングの内部には、燃料電池のスタック、アノードガス配管、改質器、カソードガス配管、メンテナンス部品を保持する。メンテナンス部品をメンテナンスするときには、ハウジングの蓋部材を開放してハウジングの側面開口を開放させ、側面開口を介してメンテナンス部品を外方に露出させる。
【特許文献１】特開２００６−１４０１６４号公報
【発明の開示】
【発明が解決しようとする課題】
【０００３】
産業界では、メンテナンス部品のメンテナンス作業を更に容易にすることが要請されている。
【０００４】
本発明は上記した実情に鑑みてなされたものであり、メンテナンス部品のメンテナンス作業を更に容易にすることができる燃料電池システムを提供することを課題とする。
【課題を解決するための手段】
【０００５】
本願発明に係る燃料電池システムは、アノードおよびカソードを有する発電可能な燃料電池と、アノード活物質を含むアノード流体をアノード流体原料から生成して燃料電池のアノードにアノード流体配管を介して供給する改質器と、カソード活物質を含むカソード流体を燃料電池のカソードに供給するカソード流体配管と、メンテナンス時に点検、補修および交換のうちの少なくとも一つが実行されるメンテナンス部品と、側方に開放する側面開口と側面開口を開閉する蓋部材とを備え、且つ、燃料電池、アノード流体配管、改質器、カソード流体配管、メンテナンス部品を収容するハウジングとを具備しており、メンテナンス部品は、蓋部材を開放して側面開口を開放させるとき、側面開口を介して外方に露出すると共に、ハウジングに対して外方に取り出し可能に設けられており、ハウジングは、メンテナンス部品を保持する保持部をもちハウジングの外方と内方との間において移動可能な可動部材と、可動部材が移動するとき可動部材をハウジングの外方および内方に案内する案内部とを備えており、メンテナンス部品は、改質器で使用される改質用の水を生成する水精製器、水精製器に保持され水精製能力をもつ水精製材料、アノード流体原料を脱硫する脱硫器、および、脱硫器に保持され脱硫能力をもつ脱硫材料のうちの少なくとも一つである。
【０００６】
蓋部材を開放してハウジングの側面開口を開放させるとき、メンテナンス部品は、ハウジングの側面開口を介して外方に露出する。更に、メンテナンス部品は、ハウジングに対して外方に取り出し可能に設けられている。このためメンテナンス部品のメンテナンス作業を更に容易にすることができる。ここで、取り出し可能とは、メンテナンス部品をハウジングから離脱させるようにハウジングの外方に取り出す形態と、メンテナンス部品をハウジングから離脱させないでハウジングの外方に引き出す形態とを含む意味である。なお、ハウジングの側面開口としては、正面開口、右側面開口、左側面開口、背面開口のいずれでも良い。
【０００７】
本願発明によれば、メンテナンス部品は、発電運転時に使用され且つメンテナンス時に点検、補修および交換のうちの少なくとも一つが実行されるものである。メンテナンス部品は、例えば、改質器で使用される改質用の水を精製する水精製器、水精製器に保持され水精製能力をもつ水精製材料、アノードガス原料を脱硫する脱硫器、および、脱硫器に保持され脱硫能力をもつ脱硫材料のうちの少なくとも一方である。あるいは、カソートガスの塵埃を除去するフィルタ、改質器バーナ用空気の塵埃を除去するフィルタ、インバータ冷却用空気の塵埃を除去するフィルタ等のうちの少なくとも一つがあげられる。水精製材料としてイオン交換材料が例示される。燃料電池はアノードおよびカソードを有する発電可能なものである。改質器は、アノード活物質を含むアノード流体をアノードガス原料から改質反応により生成し、生成したアノード流体を燃料電池のアノードにアノード流体配管を介して供給する。アノード流体配管は、アノード流体を燃料電池のアノードに供給する配管である。アノード流体としては、水素ガス、水素含有ガス、メタノールが例示される。カソード流体配管は、カソード活物質を含むカソード流体を燃料電池のカソードに供給する配管である。カソード流体としては、酸素ガス、酸素含有ガス、空気が例示される。
【０００８】
本願発明によれば、ハウジングは、メンテナンス部品を保持する保持部をもちハウジングの外方と内方との間において移動可能な可動部材と、可動部材が移動するとき可動部材をハウジングの外方または内方に案内する案内部とを備えている。この場合、可動部材を案内する案内部が設けられている。このため、メンテナンス部品をハウジングの外方または内方に移動させる操作が容易となる。
【０００９】
また、ハウジングは、ハウジングの補強のためにハウジングの高さ方向においてハウジングの側面開口を横断してハウジングに橋架状態に固定された橋架補強部材をもつことができる。この場合、燃料電池システムの発電に関連する配管は、橋架補強部材に沿う方向に配設されていることが好ましい。燃料電池システムの発電に関連する配管としては、アノード流体配管、カソード流体配管が例示される。更に、燃料電池で発電された後のアノードオフ流体を通過させるアノードオフ流体配管でも良いし、燃料電池で発電された後のカソードオフ流体を通過させるカソードオフ流体配管でも良い。更に、改質器で生成されたアノード流体を燃料電池に供給しないように燃料電池を迂回させつつ改質器のバーナに供給する迂回配管が例示される。上記した燃料電池システムに関連する配管としては、配管のうちの少なくとも一つにできる。
【００１０】
本願発明に係る他の燃料電池システムは、アノードおよびカソードを有する発電可能な燃料電池と、アノード活物質を含むアノード流体をアノードガス原料から生成して燃料電池のアノードにアノード流体配管を介して供給する改質器と、カソード活物質を含むカソード流体を燃料電池のカソードに供給するカソード流体配管と、メンテナンス時に点検、補修および交換のうちの少なくとも一つが実行されるメンテナンス部品と、燃料電池、アノード流体配管、改質器、カソード流体配管、メンテナンス部品を収容するハウジングとを具備しており、ハウジングは、メンテナンス部品を保持する保持部をもちハウジングの外方と内方との間において移動可能な可動部材と、可動部材が移動するとき可動部材を案内する案内部とを備えている。
【００１１】
本願発明に係る他の燃料電池システムによれば、メンテナンス部品を保持する保持部をもつ可動部材を案内部によりハウジングの外方と内方との間において移動可能とすることができる。このため、メンテナンス部品を可動部材と共にハウジングの外方に移動させれば、メンテナンス部品がハウジングの外方に露出するため、メンテナンス部品のメンテナンス作業を容易に実施することができる。ここで、可動部材は、メンテナンス部品を保持する保持部をもち、ハウジングの外方と内方との間において移動可能である。案内部は、可動部材が移動するとき可動部材を案内する。
【００１２】
また、メンテナンス部品は、例えば、改質器で使用される改質用の水を生成する水精製器、水精製器に保持され水精製能力をもつ水精製材料、アノード流体原料を脱硫する脱硫器、および、脱硫器に保持され脱硫能力をもつ脱硫材料のうちの少なくとも一つである。あるいは、カソートガスの塵埃を除去するフィルタ、カソートガスの塵埃を除去するフィルタ、改質器バーナ用空気の塵埃を除去するフィルタ、インバータ冷却用空気の塵埃を除去するフィルタ等のうちの少なくとも一つがあげられる。水精製材料としてイオン交換材料が例示される。
【００１３】
さらに、本願発明に係る他の燃料電池システムは、アノードおよびカソードを有する発電可能な燃料電池と、アノード活物質を含むアノード流体をアノード流体原料から生成して燃料電池のアノードにアノード流体配管を介して供給する改質器と、カソード活物質を含むカソード流体を燃料電池のカソードに供給するカソード流体配管と、燃料電池、アノード流体配管、改質器、カソード流体配管を収容するハウジングとを具備しており、ハウジングは、ハウジングの補強のためにハウジングの高さ方向においてハウジングの側面開口を横断してハウジングに橋架状態に固定された橋架補強部材をもち、燃料電池システムの発電に関連する配管は、橋架補強部材に沿う方向に配設されている。橋架補強部材に妨げられず、当該配管を外すことができ、配管のメンテナンス作業が容易となる。更に、メンテナンス部品（水精製器、脱硫器など）のメンテナンス作業を更に容易にすることができる。当該配管は前記した記載を準用できる。
【００１４】
本願発明に係る燃料電池システムの好ましい形態によれば、橋架補強部材は、側面開口において横断方向に沿って延設された第１延設部と、横断方向において第１延設部に対してずらして側面開口において横断方向に沿って延設され且つ第１延設部の高さと異なる高さをもつ第２延設部と、ハウジングの高さ方向に沿って延設され第１延設部と第２延設部とを連結する連結部とを備えている。橋架補強部材はハウジングの側面開口側を補強することができる。橋架補強部材は、燃料電池の荷重の少なくとも一部を支えることができる。
【００１５】
本願発明に係る燃料電池システムは、ハウジング内に制御装置が固定されており、ハウジングは側面板をもち、側面板はハウジング内の制御装置のボディで補強されている形態がある。この場合、ハウジングの側面板は、ハウジング内に固定されている制御装置のボディで補強され、高剛性化される。また、ハウジング内に制御装置のボディが固定されており、スタックはスタック取付部材をもち、スタック取付部材は、ハウジング内の制御装置のボディに固定されている形態がある。この場合、スタックの荷重は、スタック取付部材を介して、ハウジング内の制御装置のボディに支えられる。
【発明の効果】
【００１６】
本発明によれば、メンテナンス部品のメンテナンス作業を更に容易にすることができる燃料電池システムを提供することができる。
【発明を実施するための最良の形態】
【００１７】
（実施形態１）
以下、本発明の実施形態１について図１〜図９を参照して説明する。図１において、配管は実線で示され、制御装置４０に繋がる信号線は破線で示されている。原料ガス供給源１（天然ガス等のアノード流体原料を供給する供給源）からスタック２のアノードガス入口２ｉに繋がるアノードガス配管３（アノード流体配管）が設けられている。アノードガス配管３は配管３ａ，３ｃを備えている。
【００１８】
図１に示すように、アノードガス配管３には上流側から、主要構成要素として、改質器４と、第１凝縮器１１と、スタック２とがこの順で直列に配置されている。スタック２は、アノード流体としてのアノードガスと、カソード流体としてのカソードガスにより発電する多数の燃料電池セルを組み付けたものである。スタック２は、アノードガスが供給されるアノード２ａと、カソードガス（一般的には空気）が供給されるカソード２ｃと、アノード２ａとカソード２ｃとの間に配置された電解質膜２ｍとをもつ。電解質膜２ｍは固体高分子膜が例示される。カソードガスは、カソードガス配管１５（カソード流体配管）、第４ポンプ８４を経てスタック２のカソード入口２ｘからカソード２ｃに供給され、スタック２の内部を通過して発電反応に使用され、スタック２のカソード出口２ｙから吐出される。
【００１９】
本実施形態によれば、第１凝縮器１１は、スタック２のアノードガス入口２ｉに供給される反応ガスとしてのアノードガス（アノード流体）に含まれている水分を凝縮させて凝縮水を生成するものである。第１凝縮器１１は、冷却水等の冷却液が流れる冷却部を有しており、冷却部により水分を凝縮させる構造とされているが、これに限定されない。第１凝縮器１１に溜まっている水量を検知する第１水位センサ１６が第１凝縮器１１に付設されている。
【００２０】
第１凝縮器１１の入口の上流に改質器４が設けられている。改質器４は、原料ガス供給源１から供給される改質前の原料ガス（例えば天然ガス、都市ガス等の原料ガス）を改質反応（水蒸気を利用した改質反応）により水素（活物質）リッチなガスに改質させるものである。改質器４は、アノードガスを改質反応（水蒸気を利用した改質反応）により改質させる改質反応部５と、改質反応部５を加熱させる加熱部としてのバーナー６とを備えている。よって、改質器４では、バーナー６で燃焼が生じると、改質反応部５が高温に加熱される。このとき原料ガスおよび原料水が改質反応部５に供給されると、水蒸気および改質反応部５の熱により、原料ガスは改質されて水素含有ガス（アノードガス）となる。このような改質反応が改質反応部５において行われる。従って、改質反応を経たアノードガス（反応ガス）は、水蒸気を多く含む。改質反応部５における改質反応を経たアノードガスは、第１凝縮器１１および第６開閉弁４６を経てスタック２のアノードガス入口２ｉからアノード２ａに供給される。ここで、改質反応後のアノードガスに含まれている水蒸気の一部は、冷却機能をもつ第１凝縮器１１により凝縮されて凝縮水となる。従って、スタック２のアノード２ａに供給されるアノードガスの湿度は適正化される。
【００２１】
図１に示すように、アノードガス配管３のうち、改質器４の改質反応部５の入口４ｉの上流とアノードガス供給源１とを繋ぐ配管３ａには、第３開閉弁４３、第１ポンプ８１、脱硫器１３、第４開閉弁４４が直列にこの順に配置されている。アノードガス配管３の配管３ａから分岐した分岐配管１０が設けられている。アノードガス供給源１は分岐配管１０を介して改質器４のバーナー６の入口６ｅに繋がれている。分岐配管１０には第２ポンプ８２が設けられている。第２ポンプ８２が駆動すると、アノードガス供給源１のアノードガスは入口６ｅからバーナー６に供給され、バーナー６で燃焼される。バーナー６は図示しない空気供給装置により燃焼用の外気を取り入れる。
【００２２】
図１に示すように、第１凝縮器１１の底部と貯留部７とを繋ぐ第１排水配管１１ａが設けられている。第１排水弁４１は第１排水配管１１ａに設けられている。従って、第１排水弁４１は、第１凝縮器１１の排水孔１１ｃと貯留部７の第１入口７ｆとの間に設けられている。第１排水弁４１は、第１凝縮器１１の底部に溜まっている水を排出するためのものである。第１凝縮器１１の水を重力を利用して排水させるため、第１排水弁４１は第１凝縮器１１の下方に配置されている。第１排水弁４１は、第１凝縮器１１の排水口１１ｃと貯留部７の第１入口７ｆとの連通を遮断する閉鎖状態と、第１凝縮器１１の排水口１１ｃと貯留部７の第１入口７ｆとを連通させ、第１凝縮器１１の水を貯留部７の第１入口７ｆに排出する開放状態とに切替可能とされている。
【００２３】
図１に示すように、貯留部７は、第１凝縮器１１で溜まった凝縮水を貯留する。ここで、貯留部７は、水を貯留する貯留室７０ａをもつ水貯留部７０と、水貯留部７０に貯留されている水を精製して改質用水を生成するための水精製器７１とをもつ。第１凝縮器１１の底部に溜まった凝縮水は、第１排水弁４１の開放により、第１排水配管１１ａおよび第１排水弁４１を介して貯留部７の第１入口７ｆに供給され、水貯留部７０を介して水精製器７１に至る。水精製器７１はイオン交換膜などの水精製能力をもつ水精製材料７１ｃを有する。水精製器７１または水精製樹脂材料７１ｃは、メンテナンス部品であり、メンテナンス時に点検、補修または交換される。貯留部７の水の純度が充分でないときであっても、その水は、水精製器７１により浄化されて純水化される。改質反応部５における改質反応で水を再利用するためである。
【００２４】
図１に示すように、貯留部７の水精製器７１の出口７１ｅと改質反応部５の入口４ｉとは、給水配管７５を介して繋がっている。給水配管７５には第３ポンプ８３および第５開閉弁４５が設けられている。従って、水精製器７１により純化された水は、第３ポンプ８３の駆動により、給水配管７５を介して改質器４の改質反応部５に原料水として供給され、改質反応に使用される。
【００２５】
図１に示すように、アノードガス配管３には、第１凝縮器１１の出口と燃料電池のスタック２のアノードガス入口２ｉとを繋ぐ配管３ｃが設けられている。配管３ｃには、圧力センサ２０および第６開閉弁４６がこの順で直列に設けられている。スタック２のアノードオフガス出口２ｏは、改質器４のバーナー６のオフガス入口６ａに帰還配管２３を介して改質器４のバーナー６に繋がる。帰還配管２３には、これの上流から、第７開閉弁４７，第２凝縮器１２がこの順で直列に配置されている。スタック２のアノードオフガス出口２ｏから吐出されたアノードオフガスにはアノードガス成分（活物質である水素）が残留していることがある。このため、アノードオフガスは、第７開閉弁４７の開放によりバーナー６のオフガス入口６ａに至り、バーナー６で燃焼される。この場合、アノードオフガスは第２凝縮器１２を通過するため、アノードオフガスに含まれている水分が凝縮して取り除かれる。このためアノードオフガスはバーナー６で良好に燃焼される。アノードオフガス（アノードオフ流体）は、アノードガスが発電反応した後のガスを意味する。
【００２６】
図１に示すように、第２凝縮器１２はこれの水位を検知する第２水位センサ１４をもつ。第２凝縮器１２に凝縮水が溜まった所定量を第２水位センサ１４が検知すると、第２排水弁４２が開放する。これにより第２排水配管１２ａを介して貯留部７の第２入口７ｓに供給される。第２排水弁４２は、第２凝縮器１２の排水口１２ｃと貯留部７の第２入口７ｓとの連通を遮断する閉鎖状態と、第２凝縮器１２の排水口１２ｃと貯留部７の第２入口７ｓとを第２排水配管１２ａを介して連通させて、第２凝縮器１２の水を貯留部７の水貯留部７０に排出する開放状態とに切替可能とされている。第２排水配管１２ａは、水貯留部７０の第２入口７ｓと第２凝縮器１２の排水口１２ｃとを連通している。
【００２７】
図１に示すように、貯留部７は第１凝縮器１１および第２凝縮器１２の下方に配置されている。第１排水弁４１および第２排水弁４２は、第１凝縮器１１および第２凝縮器１２の下方でかつ貯留部７よりも上方に配置されている。第１凝縮器１１および第２凝縮器１２に溜まった水を重力で貯留部７の水貯留部７０が受けるためである。
【００２８】
図１に示すように、アノードガス配管３には迂回配管９が設けられている。迂回配管９は、アノードガス配管３と帰還配管２３とを連通させており、本システムの起動初期時において改質されたアノードガスがスタック２に供給されないように、スタック２のアノード２ａを迂回させるものである。迂回配管９には第８開閉弁４８が設けられている。改質器４の起動初期では、改質されたアノードガスの組成が充分に安定していないことがある。このため、第６開閉弁４６（スタック２のアノードガス入口２ｉを開閉するバルブ）および第７開閉弁４７（スタック２のアノードオフガス出口２ｏを開閉するバルブ）が閉鎖している状態で、第８開閉弁４８が開放する。このため改質器４の起動初期では、改質初期のアノードガスはスタック２に流れず、迂回配管９を矢印Ａ１方向に流れ、迂回配管９および第２凝縮器１２を経てバーナー６に至り、バーナー６で燃焼され、改質反応部５の加熱に利用される。
【００２９】
図１に示すように、本システムを制御する制御装置４０が設けられている。制御装置４０は、ＣＰＵ、入力処理回路、出力処理回路、メモリなどの電気部品および電子部品を収容するボディ４０ｂをもつ。制御装置４０は、第１排水弁４１、第２排水弁４２、第３開閉弁４３、第４開閉弁４４，第５開閉弁４５，第６開閉弁４６，第７開閉弁４７，第８開閉弁４８、第１ポンプ８１、第２ポンプ８２、第３ポンプ８３、第４ポンプ８４を制御する。なお、ポンプは搬送源として機能し、必要に応じて、ファン、コンプレッサにしても良い。
【００３０】
さて、燃料電池システムの運転を起動させる一般的な基本手順を説明する。まず、第３開閉弁４３を開放させるとともに第２ポンプ８２を駆動させる。これにより原料ガスがバーナー６に送給され、バーナー６が着火され、改質反応部５が高温に加熱される。この場合、第４開閉弁４４，第５開閉弁４５，第６開閉弁４６，第７開閉弁４７，第８開閉弁４８が閉鎖されている。かつ、第１排水弁４１、第２排水弁４２が閉鎖されている。
【００３１】
バーナー６が着火されると、改質反応部５が加熱されて次第に高温となり、改質反応が開始される。改質反応では、第３開閉弁４３および第４開閉弁４４が開放している状態で、第１ポンプ８１を駆動させる。すると、原料ガスは脱硫器１３の脱硫材料１３ｃを経て改質反応部５に供給される。このとき、第５開閉弁４５が開放すると共に第３ポンプ８３が駆動し、水精製器７１の水（純水）が改質反応部５に改質用水として供給される。これにより原料ガスは水蒸気改質され、水素を主要成分とするアノードガスとなる。このように改質されたアノードガスは第１凝縮器１１で水分が除去された後に、迂回配管９を経て第２凝縮器１２に至り、第２凝縮器１２で水分が除去された後に、バーナー６に至り、バーナー６で燃焼される。この場合、第６開閉弁４６、第７開閉弁４７は閉鎖されており、アノードガスはスタック２に供給されない。起動初期のアノードガスの組成の安定性は必ずしも充分ではないためである。
【００３２】
アノードガスの組成が安定すると、第８開閉弁４８が閉鎖され迂回配管９が遮断される。更に第６開閉弁４６、第７開閉弁４７は開放され、改質後のアノードガスは第１凝縮器１１および第６開閉弁４６を経て、スタック２のアノードガス入口２ｉからアノード２ａに供給される。このときカソードガス配管１５からカソードガス（活物質としての酸素を含む空気）がスタックのカソード２ｃに供給される。これによりスタック２は発電し、電気エネルギが取り出される。
【００３３】
スタック２から排出された発電反応後のアノードオフガスは、第７開閉弁４７および帰還配管２３を経て第２凝縮器１２に至り、第２凝縮器１２で水分を除去した後に、バーナー６に供給されて燃焼される。
【００３４】
図２は貯湯系を示す。図２に示すように、貯湯系は、スタック２の内部に形成された冷却通路２１の入口２１ｉと出口２１ｐとを繋ぐ冷却水配管２２（冷却液配管）と、冷却水配管２２に配置された冷却ポンプ２３ｐ（冷却水搬送源）と、冷却水配管２２を流れる冷却水を浄化するために冷却水配管２２に配置された第２水精製器２４と、冷却水配管２２に配置された熱交換器２５と、熱交換器２５で熱交換されて温水を生成する温水配管２６と、温水配管２６の温水を貯湯槽２８に搬送する貯湯ポンプ２７とを備えている。第２水精製器２４は、イオン交換樹脂等の水精製材料２４ｃを有する。第２水精製器２４は、冷却ポンプ２３ｐと並列となるように、分岐部２２ａ，２２ｃ間に設けられている。スタック２が発電するとき、スタック２は発熱する。冷却ポンプ２３ｐが駆動すると、冷却水配管２２の水はスタック２の冷却通路２１に流れ、スタック２の熱を持ち去り、加熱される。貯湯ポンプ２７が駆動すると、温水配管２６の水は熱交換器２５で加熱され、貯湯槽２８に溜められる。
【００３５】
（要部構成）
さて、本実施形態の要部構成について説明する。図１に示すように、燃料電池システムの箱形状をなすハウジング１００は、カソードガス配管１５（カソード流体配管）、スタック２、アノードガス配管３（アノード流体配管）、改質器４、脱硫器１３、制御装置４０、水貯留部７０および水精製器７１をもつ貯留部７、第１凝縮器１１，第２凝縮器１２，帰還配管２３，第１開閉弁４１〜第８開閉弁４８、第１ポンプ８１〜第４ポンプ８４等をその収容室１０１に内蔵している。
【００３６】
更に、図２に示すように、ハウジング１００は、冷却水配管２２，冷却ポンプ２３ｐ，第２水精製器２４，熱交換器２５、貯湯ポンプ２７を内蔵している。貯湯槽２８はハウジング１００の外方に配置されているが、ハウジング１００内に配置しても良い。
【００３７】
図３はハウジングの内部を示す。ハウジング１００は金属製の箱形状をなしており、互いに対向する平坦な一対の側面板１０２，１０３と、平坦な背面板１０４と、平坦な天井板１０５と、平坦な底板１０６と、背面板１０４に対向する正面板としての平坦な蓋部材１０７と、内部に区画される収容室１０１とを備えている。
【００３８】
図３は、ハウジング１００の側方に開放する側面開口１０８を開閉する蓋部材１０７を外した状態の主要部を示す。図３では、図面の簡素化のため、図示が省略されている部品もある。ハウジング１００の側面開口１０８はハウジング１００の正面開口に相当しており、ハウジング１００の長さＬ１（図３参照）のほぼ全長を占め、ハウジング１００の高さＨ１（図３参照）のほぼ全高を占める。ハウジング１００の側面開口１０８においては、ハウジング１００を補強するためのアーム状をなす橋架補強部材１３０がハウジング１００に固定されている。橋架補強部材１３０は、ハウジング１００の高さ方向（矢印Ｈ方向）において、ハウジング１００の側面開口１０８を横断してハウジング１００に橋架状態に、且つ、ハウジング１００の高さ方向の中間部に固定されている。ハウジング１００は、側面開口１０８を区画するように側面開口１０８の左右に設けられた第１縦支柱１１１および第２縦支柱１１２を備えている。橋架補強部材１３０はハウジング１００の高さ方向（矢印Ｈ方向）のほぼ中間の位置に設けられており、水平方向に沿って延設されている第１延設部１３１と、水平方向に沿って延設されていると共に第１延設部１３１よりも低い位置に設定されている第２延設部１３２と、鉛直方向に沿っている連結部１３３とを備えており、クランク形状をなしている。
【００３９】
図３に示すように、スタック２は、連結部１３３付近の上方に位置するように、橋架補強部材１３０よりも上側に位置するように、収容室１０１内に配置されている。水精製器７１は、水精製能力をもつ材料を収容する筒形状の縦長の容器７１ａを備えている。水精製器７１は連結部１３３付近の下方に位置するように、橋架補強部材１３０よりも下側に収容室１０１内に配置されている。脱硫器１３は連結部１３３付近の下方に位置するように、橋架補強部材１３０よりも下側に収容室１０１内に配置されている。脱硫器１３は、脱硫剤を収容する筒形状をなす縦長の容器１３ａを備えており、水精製器７１に接近するように水精製器７１の隣りに設けられている。
【００４０】
図３に示すように、蓋部材１０７を開放して側面開口１０８を開放させるとき、メンテナンス部品としての水精製器７１および脱硫器１３は、側面開口１０８の下部において、側面開口１０８を介して外方に露出する。このためメンテナンス部品として機能する水精製器７１および脱硫器１３のメンテナンス（点検、補修、交換など）を実施し易くなる利点が得られる。勿論、水精製器７１に収容されている水精製材料７１ｃ、脱硫器１３に保持されている脱硫材料１３ｃのメンテナンス（点検、補修、交換など）を実施し易くなる。固定具７１ｋを緩めたり外したりすれば、可動部材１５０から水精製器７１は離脱されるため、メンテナンスは一層容易となる。
【００４１】
更に、図３に示すように、メンテナンス部品としての第２水精製器２４および制御装置４０は、側面開口１０８を介して外方に露出する。このため、第２水精製器２４および制御装置４０のメンテナンス（点検、補修、交換など）を実施し易くなる利点が得られる。
【００４２】
以下、更に説明を加える。図５に示すように、ハウジング１００は、底板１０６において、可動部材１５０と案内部１６０とをもつ。可動部材１５０は、メンテナンス部品として機能する水精製器７１を保持する保持部１５０ａに固定されている。案内部１６０は可動部材１５０を案内する。案内部１６０は、ハウジング１００の底板１０６に固定されており、断面コの字形状（チャンネル形状）をなしており、間隔を隔て互いに対向するように立設された第１レール部１６１および第２レール部１６２と、第１レール部１６１および第２レール部１６２の下端部同士を繋ぐ連結板１６３とを備えている。連結板１６３はハウジング１００の底板１０６に取付具１０６ｘにより固定されている。
【００４３】
可動部材１５０は、水精製器７１および水貯留部７０を載置する保持部１５０ａをもち、案内部１６０に沿ってハウジング１００の外方と内方との間においてほぼ水平方向に沿って移動可能とされている。図５に示すように、可動部材１５０は、案内部１６０の第１レール部１６１に対面しつつ案内される突起状の第１係合部１５１と、案内部１６０の第２レール部１６２に対面しつつ案内される突起状の第２係合部１５２と、第１係合部１５１および第２係合部１５２の上端部同士を繋ぐ保持板１５３とを備えている。可動部材１５０の保持板１５３には縦型の水精製器７１の容器７１ａが着脱可能に保持されている。水精製器７１はハウジング１００の底板１０６よりもΔＨａ（図５参照）ぶん浮上している。
【００４４】
図６に示すように、可動部材１５０は、案内部１６０をハウジング１００に残したまま、ハウジング１００の側面開口１０８の手前側に引き出されると、可動部材１５０は、ハウジング１００の外方（矢印Ｘｐ方向）に向けて移動可能である。引き出された可動部材１５０は、奥方に押し込められると、内方（矢印Ｘｉ方向）に向けて移動可能とされている。従って燃料電池システムのメンテナンス時には、メンテナンス者は、蓋部材１０７をハウジング１００から外し、ハウジング１００の側面開口１０８を開放する（図３参照）。この状態で、メンテナンス者は、水精製器７１を保持する可動部材１５０をハウジング１００の外方（矢印Ｘｐ方向）に向けてハウジング１００の外方に引き出す。これにより水精製器７１および水貯留部７０の双方は、底板１０６側において、ハウジング１００の外方に向けて横方向に引き出される。このため水精製器７１および水貯留部７０のメンテナンス（点検、補修、交換など）を実施し易くなる。水精製器７１の容器７１ａの分解が容易となる。図６に示すように、水精製器７１および水貯留部７０の双方がハウジング１００の外方に引き出されるとき、水精製器７１は水貯留部７０よりも手前側に位置しているため、水精製器７１のメンテナンス（点検、補修、交換など）を尚一層実施し易くなる。
【００４５】
水精製器７１は固定具７１ｋにより可動部材１５０に脱着可能に保持されている。このため固定具７１ｋを緩めたり外したりすれば、可動部材１５０から水精製器７１を分離させることができる。この場合、水精製器７１のメンテナンス（点検、補修、交換など）を実施し易くなる。なお、水精製器７１だけに限らず、必要に応じて、水貯留部７０についても可動部材１５０から分離可能とすることができる。更に本実施形態によれば、水精製器７１および水貯留部７０がハウジング１００の外方（矢印Ｘｐ方向）に引き出されると、脱硫器１３や他の機器の横方にスペースが生成されるため、脱硫器１３のメンテナンス（点検、補修、交換など）を実施し易くなる。
【００４６】
本実施形態によれば、前述したように、ハウジング１００の正面開口でもある側面開口１０８においては、ハウジング１００を補強するための橋架補強部材１３０（図３参照）がハウジング１００に固定されている。橋架補強部材１３０は、ハウジング１００の高さ方向（矢印Ｈ方向）においてハウジング１００の側面開口１０８を横断してハウジング１００に橋架状態に固定されている。ここで、ハウジング１００は、側面開口１０８を区画する第１縦支柱１１１および第２縦支柱１１２を備えている。橋架補強部材１３０は、ハウジング１００の高さ方向のほぼ中間の位置に設けられており、水平方向に延びる第１延設部１３１と、水平方向に延びる第２延設部１３２と、高さ方向に延びる連結部１３３とを備えており、クランク形状をなしている。
【００４７】
ここで図３に示すように、第１延設部１３１は、ハウジング１００の側面開口１０８において横断方向に沿ってほぼ水平に延設されている。第１延設部１３１の一端部１３１ｅは、第１縦支柱１１１に第１取付具１１１ｋにより固定されている。第２延設部１３２は、側面開口１０８を横断する横断方向において、第１延設部１３１に対してずらして側面において横断方向に沿ってほぼ水平に延設されており、第１延設部１３１の高さと異なる高さをもつ。第１延設部１３１の高さは、第２延設部１３２の高さよりも所定寸法高く設定されている。第２延設部１３２の一端部１３２ｅは、第２縦支柱１１２に第２取付具１１２ｘにより固定されている。図９に示すように、連結部１３３の上部１３３ｕは、第１延設部１３１の他端部１３１ｆに連結されている。連結部１３３の下部１３３ｄは、第２延設部１３２の他端部１３２ｆに連結されている。
【００４８】
上記したように水精製器７１（第１メンテナンス品）の上端の高さは、脱硫器１３（第２メンテナンス品）の上端の高さよりも高い。水精製器７１は第１延設部１３１の下方に配置されている。脱硫器１３は、第２延設部１３２の下方に配置されている。上記したように第１延設部１３１の高さは、第２延設部１３２の高さよりも高く設定されている。このため、脱硫器１３の高さよりも水精製器７１の高さが高いことに対処できる。第１延設部１３１の下面の高さ位置よりも下方に水精製器７１が配置されるためである。
【００４９】
殊に、余剰空間１３４が連結部１３３の横側方（第２延設部１３２側の上方）に形成されている。ここで、第６開閉弁４６、第７開閉弁４７、第８開閉弁４８の複数の弁は機械的に一体的に組み付けられて、一体品である弁要素４９とされている。図９に示すように、弁要素４９は、連結部１３３の横方の余剰空間１３４に配置されており、余剰空間１３４が巧みに利用されている。ここで、スタックアノード配管中の凝縮水をガス流れに沿って重力により凝縮器に回収する必要があるため、弁要素４９はスタック２の下面側に配置されている。このため、仮に、橋架補強部材が、余剰空間１３４を形成するクランク形状ではなく、水平方向に真っ直ぐな形状であると、弁要素４９を余剰空間１３４に収容できないため、弁要素４９の高さぶんスタック２の底部の高さ位置が過剰に高くなるおそれがある。この点本実施形態によれば、弁要素４９は余剰空間１３４に配置されており、余剰空間１３４が有効利用されているため、高さ寸法Ｈ１をコンパクトにできる。更に、スタック２の底部の高さ位置が過剰に高くなることが抑えられる。なお、上記した余剰空間１３４に配置される部品としては、弁要素４９に限らず、他の部品であっても良い。例えばスタック２であっても良い。第６開閉弁４６、第７開閉弁４７、第８開閉弁４８が個別に分離されているときには、これらのうちの少なくとも一つの弁であっても良い。
【００５０】
図７に示すように、スタック２の下面側には、これをハウジング１００の収容室１０１内に搭載するための複数個のスタックステー（スタック取付部材）、即ち、第１スタックステー２ｆ（第１スタック取付部材）、第２スタックステー２ｓ（第２スタック取付部材）、第３スタックステー２ｔ（第３スタック取付部材）が設けられている。第３スタックステー２ｔは、橋架補強部材１３０の第１延設部１３１に取付具１３１ｒにより固定されている。従って、ハウジング１００の側面開口１０８に橋架されている橋架補強部材１３０の長さ方向の中間域は、重量物であるスタック２の荷重のかなりの部分（１／２程度）を第３スタックステー２ｔを介して支えている。
【００５１】
従って本実施形態によれば、スタック２を支持する橋架補強部材１３０に作用する曲げモーメントは、橋架補強部材１３０の長さ方向の中間域に大きく作用する。また、橋架補強部材１３０に作用する剪断荷重も、橋架補強部材１３０の長さ方向の中間域に大きく作用する。この点本実施形態によれば、橋架補強部材１３０はハウジング１００の側面開口１０８を横断するように延設されており、第１延設部１３１と第２延設部１３２と連結部１３３とを備えており、クランク形状をなしている。連結部１３３は高さ方向（鉛直方向）に沿って延設されており、橋架補強部材１３０の長さ方向の中間域に位置しており、長さＬＥ（図９参照）をもつ。このため橋架補強部材が水平一直線状に沿っている場合に比較して、スタック２の荷重に起因して橋架補強部材１３０に作用する曲げモーメントおよび剪断荷重に対して、高さ方向（鉛直方向）に延びる連結部１３３が良好に対抗することができる。故に橋架補強部材１３０がスタック２を支えるのに貢献できる。また、第３スタックステー２ｔは、ハウジング１００内に固定されているフレーム１００Ｘとも連結している。これにより、スタック２が側面開口１０８方向に倒れようとする曲げモーメント荷重に対抗できる。これによりスタック２の支持性が高まる。
【００５２】
更に本実施形態によれば、図４に示すように、制御装置４０の金属製のボディ４０ｂの上端部４０ｕは、ハウジング１００の側面板１０３の上端部１０３ｕにボルト、リベット、溶接等で固定されている。制御装置４０のボディ４０ｂの下端部４０ｄは、ハウジング１００の側面板１０３の下端部１０３ｄにボルト、リベット、溶接等で固定されている。この結果、制御装置４０を構成する箱形状をなすボディ４０ｂは、ハウジング１００のうち側面板１０３側を補強して高剛性化している。即ち、ハウジング１００の側面板１０３は、制御装置４０のボディ４０ｂにより補強されて剛性が高められている。
【００５３】
図９に示すように、ハウジング１００の背面板１０４においては、これから突出するように複数の取付具４０ｗ（スタッドボルト）が溶接または打込み等で固定されている。図９に示すように、スタック２の第１スタックステー２ｆは、制御装置４０のボディ４０ｂの取付具４０ｘに固定されている。これによりスタック２の一部は、第１スタックステー２ｆを介して制御装置４０のボディ４０ｂに支持されている。
【００５４】
また図９に示すように、スタック２の第２スタックステー２ｓは、締結部材４０ｍ（ナット）により背面板１０４に締結固定されている。これによりスタック２の他の一部は、第２スタックステー２ｓを介してハウジング１００の背面板１０４に支持されている。ここで、スタック２の底部を弾性支持する弾性マウント２０２の脚２０３は、第２スタックステー２ｓに支持されている（図９参照）。
【００５５】
上記したように重量物であるスタック２をハウジング１００内に支持するにあたり、制御装置４０のボディ４０ｂがハウジング１００の側面板１０３に固定されており、制御装置４０のボディ４０ｂがスタック２取付用の取付ブラケットとして兼用されている。故に、専用の取付ブラケットを廃止または簡素化することができ、部品点数の増加を抑え得る。
【００５６】
更に本実施形態によれば、図３に示すように、アノードガスがスタック２を迂回するように流す迂回配管９（燃料電池システムの発電に関連する配管）は、橋架補強部材１３０の長さ方向に沿うように配設されている。即ち、迂回配管９は、橋架補強部材１３０に干渉しないように、橋架補強部材１３０のやや上側において橋架補強部材１３０の長さ方向に沿うように配置されている。このため蓋部材１０７が開放されハウジング１００の側面開口１０８が開放されている状態（図３参照）では、迂回配管９をメンテナンスするとき、その作業は、橋架補強部材１３０によって妨げられず、迂回配管９を良好にメンテナンスすることができる。迂回配管９を取り外す作業が容易となり、迂回配管９のメンテナンス作業が容易となる。なお、迂回配管９は、橋架補強部材１３０に干渉しないように、橋架補強部材１３０のやや下側において配置されていても良い。
【００５７】
橋架補強部材１３０に沿う方向に配設されている迂回配管９としては、迂回配管９に限定されず、アノードガス配管３（アノード流体配管）、カソードガス配管１５（カソード流体配管）、帰還配管２３（アノードオフ流体配管）のうちの少なくとも一つでも良い。燃料電池で発電された後のカソードオフガスを通過させるカソードオフガス配管でも良い。メンテナンス部品は、水精製器７１および脱硫器１３以外でも良いことは、勿論である。
【００５８】
（実施形態２）
図１０は実施形態２を示す。本実施形態は実施形態１と基本的には同様の構成、同様の作用効果を有する。以下、異なる部分を中心として説明する。図１０に示すように、燃料電池システムのメンテナンス時には、メンテナンス者は、側面開口１０８を覆っている蓋部材１０７をハウジング１００から外す。これによりハウジング１００の側面開口１０８が開放される。この状態で、メンテナンス者は、水精製器７１および水貯留部７０を保持する可動部材１５０を、ハウジング１００の外方（矢印Ｘｐ方向）に向けてハウジング１００の外方に引き出す。その後、水精製器７１および水貯留部７０は、可動部材１５０と共に、ハウジング１００から分離させる。その後、固定具７１ｋを緩めたり外せば、可動部材１５０から水精製器７１は離脱されて分離される。
【００５９】
このように水精製器７１はハウジング１００から外方に引き出された後に、ハウジング１００から離脱される。このため水精製器７１および水貯留部７０のメンテナンス（点検、補修、交換など）を実施し易くなる。更に水精製器７１および水貯留部７０がハウジング１００の外方に引き出されると、脱硫器１３の横方に大きなスペースが生成される。このため脱硫器１３等のメンテナンス（点検、補修、交換など）を実施し易くなる。
【００６０】
（実施形態３）
本実施形態は実施形態１と基本的には同様の構成、同様の作用効果を有するため、図１〜図３を準用する。以下、異なる部分を中心として説明する。燃料電池システムのメンテナンス時には、メンテナンス者は、蓋部材１０７をハウジング１００から外し、ハウジング１００の正面開口に相当する側面開口１０８を開放させる。この状態で、脱硫器１３を保持する可動部材１５０をハウジング１００の外方に向けて、メンテナンス者は、ハウジング１００の外方に引き出す。これにより脱硫器１３はハウジング１００から離脱するように、ハウジング１００の外方に引き出される。このように脱硫器１３をハウジング１００から離脱させるため、脱硫器１３のメンテナンス（点検、補修、交換など）を実施し易くなる。更に脱硫器１３がハウジング１００の外方に引き出されると、水精製器７１の横方にスペースが生成される。このため、水精製器７１等のメンテナンス（点検、補修、交換など）を実施し易くなる。
【００６１】
（その他）
上記した実施形態によれば、橋架補強部材１３０はハウジング１００の高さ方向のほぼ中間の位置に設けられており、第１延設部１３１と、第２延設部１３２と、連結部１３３とを備えており、クランク形状をなしているが、これに限らず、水平方向に沿った一直線状でもよい。第２水精製器２４をハウジング１００から引き出し可能、離脱可能としても良い。本発明は上記し且つ図面に示した実施形態のみに限定されるものではなく、要旨を逸脱しない範囲内で適宜変更して実施可能である。ある実施形態に特有の構造および機能は、他の実施形態についても適用できる。上記した記載から次の技術的思想も把握できる。
【００６２】
（付記項１）アノードおよびカソードを有する発電可能な燃料電池と、アノード活物質を含むアノード流体をアノード流体原料から生成して燃料電池のアノードにアノード流体配管を介して供給する改質器と、カソード活物質を含むカソード流体を前記燃料電池の前記カソードに供給するカソード流体配管と、側方に開放する側面開口と側面開口を開閉する蓋部材とを備え、且つ、前記燃料電池、前記アノード流体配管、前記改質器、前記カソード流体配管を収容するハウジングとを具備しており、前記ハウジングは、前記ハウジングの補強のために前記ハウジングの高さ方向において前記ハウジングの側面を横断して前記ハウジングに橋架状態に固定された橋架補強部材をもち、燃料電池の荷重の少なくとも一部は、前記橋架補強部材に支持されている燃料電池システム。この場合、燃料電池の荷重負荷に対する負荷対抗性が高められている。
【００６３】
（付記項２）アノードおよびカソードを有する発電可能な燃料電池と、アノード活物質を含むアノード流体をアノード流体原料から生成して燃料電池のアノードにアノード流体配管を介して供給する改質器と、カソード活物質を含むカソード流体を前記燃料電池の前記カソードに供給するカソード流体配管と、制御装置と、前記燃料電池、前記アノード流体配管、前記改質器、前記カソード流体配管、燃料電池システムを制御する制御装置を保持する収容室をもつハウジングとを具備しており、前記ハウジングは側面板をもち、ハウジングの側面板は前記制御装置のボディで補強されている燃料電池システム。この場合、ハウジングの側面板は制御装置のボディで補強されて高剛性化されている。
【００６４】
（付記項３）アノードおよびカソードを有する発電可能な燃料電池と、アノード活物質を含むアノード流体をアノード流体原料から生成して燃料電池のアノードにアノード流体配管を介して供給する改質器と、カソード活物質を含むカソード流体を前記燃料電池の前記カソードに供給するカソード流体配管と、制御装置と、前記燃料電池、前記アノード流体配管、前記改質器、前記カソード流体配管、前記制御を保持する収容室をもつハウジングとを具備しており、前記ハウジングは側面板をもち、ハウジングの側面板は制御装置のボディで補強されており、
スタックに取り付けられたスタック取付部材が設けられており、前記スタックは、前記スタック取付部材を介して、前記制御装置のボディの側面に固定されている燃料電池システム。この場合、スタックの固定にあたり、ハウジングの側面板に固定された制御装置の箱形状のボディを、取付ブラケットとして兼用している。故に専用の取付ブラケットを廃止または簡素化させつつ、ハウジング内におけるコンパクト収容に貢献できる。
【００６５】
（付記項４）アノードおよびカソードを有する発電可能な燃料電池と、アノード活物質を含むアノード流体をアノード流体原料から生成して燃料電池のアノードにアノード流体配管を介して供給する改質器と、カソード活物質を含むカソード流体を前記燃料電池の前記カソードに供給するカソード流体配管と、メンテナンス時に点検、補修および交換のうちの少なくとも一つが実行されるメンテナンス部品と、側方に開放する側面開口と前記側面開口を開閉する蓋部材とを備え、且つ、前記燃料電池、前記アノード流体配管、前記改質器、前記カソード流体配管、前記メンテナンス部品を収容するハウジングとを具備しており、前記メンテナンス部品は、前記蓋部材を開放して前記側面開口を開放させるとき、前記側面開口を介して外方に露出する燃料電池システム。
【産業上の利用可能性】
【００６６】
本発明は例えば定置用、車両用、電気機器用、電子機器用、携帯用の燃料電池システムに利用することができる。
【図面の簡単な説明】
【００６７】
【図１】燃料電池システムの発電系の配管図である。
【図２】燃料電池システムの貯湯系の配管図である。
【図３】ハウジングの蓋部材を開放した状態を模式的に示す斜視図である。
【図４】ハウジングの蓋部材を開放し、且つ、水精製器を引き出した状態を模式的に示す斜視図である。
【図５】ハウジングの蓋部材を開放し、且つ、水精製器を引き出す直前の状態を模式的に示す斜視図である。
【図６】ハウジングの蓋部材を開放し、且つ、水精製器をハウジングの外方に引き出した状態を模式的に示す斜視図である。
【図７】ハウジングを補強している橋架補強部材を介してスタックをハウジングの収容室に取り付けている状態を下方から視認している状態を模式的に示す斜視図である。
【図８】ハウジングを補強している橋架補強部材を介してスタックをハウジングの収容室に取り付けている状態を下方から視認している状態を模式的に示す斜視図である。
【図９】ハウジングを補強している橋架補強部材にスタックを取り付けている状態を下方から視認している状態を模式的に示す拡大斜視図である。
【図１０】ハウジングの蓋部材を開放し、且つ、水精製器をハウジングから離脱させた状態を模式的に示す斜視図である。
【符号の説明】
【００６８】
２は燃料電池のスタック、２ａはアノード、２ｃはカソード、３はアノードガス配管（アノード流体配管）、１１は第１凝縮器、１３は脱硫器（メンテナンス部品）１５はカソードガス配管（カソード流体配管）、４は改質器、４０は制御装置、４１は第１排水弁、４２は第２排水弁、４３は第３開閉弁、４４は第４開閉弁、４５は第５開閉弁、４６は第６開閉弁、５は改質反応部、６はバーナー、７は貯留部、７０は水貯留部、７１は水精製器（メンテナンス部品）、９は迂回配管、１００はハウジング、１０１は収容室、１０２は側面板、１０３は側面板、１０４は背面板、１０５は天井板、１０６は底板、１０７は蓋部材、１０８は側面開口、１３０は橋架補強部材、１３１は第１延設部、１３２は第２延設部、１３３は連結部、１５０は可動部材、１５１は第１係合部、１５２は第２係合部、１５３は保持板、１６０は案内部、１６１は第１レール部、１６２は第２レール部、１６３は連結板を示す。
【図１】
0005248072.tif 000002
【図２】
0005248072.tif 000003
【図３】
0005248072.tif 000004
【図４】
0005248072.tif 000005
【図５】
0005248072.tif 000006
【図６】
0005248072.tif 000007
【図７】
0005248072.tif 000008
【図８】
0005248072.tif 000009
【図９】
0005248072.tif 000010
【図１０】
0005248072.tif 000011